【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
式
【化１】
2019523813.tif 000001
［式中、
各ｍ、ｎ及びｏは、独立して、１００〜１，０００，０００であり、
各ａ、ｂ、ｓ、ｔ、ｘ及びｙは、独立して、０，１又は２であり、
各Ａ、Ｂ、Ｍ、Ｎ、Ｘ及びＹは、独立して、アリール、置換アリール、アリールアンモニウム、ヘテロアリール、置換ヘテロアリール、ヘテロアリールアンモニウムＸ−及び置換ヘテロアリールアンモニウムＸ−（各Ｘ−は、独立して、Ｃｌ−、Ｂｒ−、Ｉ−、−ＳＯ４−２及び−ＰＯ４−３から成る群から選択される対アニオン）から成る群から選択され、
各Ａ、Ｂ、Ｍ、Ｎ、Ｘ及びＹは、独立して、
式
【化２】
2019523813.tif 000002
2019523813.tif 000003
2019523813.tif 000004
［式中、
各Ｌ１、Ｌ２、Ｌ３及びＬ４は、独立して、Ｈ、−ＣＨ３、−ＣＨ２−、−Ｏ−、−Ｓ−、−（ＣＨ２）１−２−、−ＣＨ（ＣＨ２−）２、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５、結合及び−ＮＲ’−（Ｒ’はＨ、−ＣＨ３、−ＣＨ２ＣＨ３及び−ＣＨ２Ｃ６Ｈ５又は置換ベンジルから選択される）であり、
Ｌ５及びＬ６は、独立して、存在しないか又は独立して、−ＣＨ２−、−Ｏ−、−Ｓ−、−（ＣＨ２）１−２−、−ＣＨ（ＣＨ２−）２、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’は、Ｈ、−ＣＨ３、−ＣＨ２ＣＨ３及び−ＣＨ２Ｃ６Ｈ５又は置換ベンジル、又は結合から選択される）からなる群から選択され、
各Ｒ、Ｒ１及びＲ２は、独立して、Ｈ又はＦ、Ｃｌ、Ｂｒ、Ｉ、−ＯＨ、−ＳｉＨ２ＯＨ、−ＮＯ２、−ＣＨ３、−ＣＦ３、置換アリール基、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ２Ｃ６Ｈ５、−３，４−ジヒドロキシフェニル、−ＣＨ２−３，４−ジヒドロキシフェニル、Ｎ−スクシンイミジル、−ＮＲ’Ｒ’’（Ｒ’及びＲ’’は、各々独立して、Ｈ、−ＣＨ３、−ＣＨ２ＣＨ３及び−ＣＨ２Ｃ６Ｈ５又は置換ベンジル、及び硬化性の基から選択される）から成る群から選択され、
各Ｒ３は、独立して、Ｈ又は−ＣＨ３、−ＣＨ２ＣＨ３、置換アリール基、−ＣＯ２Ｈ、−ＳＯ４Ｈ、−ＳＯ３Ｈ、−ＰＯ４Ｈ２、−ＰＯ３Ｈ２、−ＮＨ３＋及び−ＣＨ２Ｃ６Ｈ５又は置換ベンジル、及び硬化性の基から成る群から選択され、
Ｚは、ｔが０又は１である、−（ＣＨ２）ｔ−又は−（ＮＨ）−である。
ただし、
Ｌ１が、−（ＣＨ２）１−２−又は結合である場合、基−（Ａ）ａ−Ｌ２−（Ｂ）ｂは、−ヘテロアリールアンモニウム（Ｘ−）−Ｌ２−ジヒドロキシフェニル、置換又は非置換イミダゾール及び置換又は非置換イミダゾリニウム（Ｘ−）から選択される基ではない。
］
からなる群から選択される。
］
Ａ、Ｂ及びＣのポリマーを含む、接着剤組成物。
【請求項２】
各Ｂ、Ｎ及びＹが、独立して、
式
【化３】
2019523813.tif 000005
2019523813.tif 000006
のアミン、グリシジル、アクリラート、メタクリラート又はビニル誘導体を含む、請求項１又は２に記載の接着剤。
【請求項３】
Ａ、Ｂ、Ｍ、Ｎ、Ｘ及びＹのうちの少なくとも１つが、独立して、
式
−Ｌ１−ＣＯＯＨ、−Ｌ１−ＳＯ４Ｈ、−Ｌ１−ＳＯ３Ｈ、−Ｌ１−ＰＯ４Ｈ２、−Ｌ１−ＰＯ３Ｈ２及びＬ１−ＮＨ３＋、
−Ｌ３−ＣＯＯＨ、−Ｌ３−ＳＯ４Ｈ、−Ｌ３−ＳＯ３Ｈ、−Ｌ３−ＰＯ４Ｈ２、−Ｌ３−ＰＯ３Ｈ２及びＬ３−ＮＨ３＋、及び
−Ｌ５−ＣＯＯＨ、−Ｌ５−ＳＯ４Ｈ、−Ｌ５−ＳＯ３Ｈ、−Ｌ５−ＰＯ４Ｈ２、−Ｌ５−ＰＯ３Ｈ２及びＬ５−ＮＨ３＋、
［式中、
各Ｌ１、Ｌ３及びＬ５は、独立して、結合、−ＣＨ２−、−Ｏ−、−Ｓ−、−Ｃ（Ｏ）ＯＣＨ２−、−Ｃ（Ｏ）ＮＨＣＨ２−及び−ＮＲ’−（Ｒ’はＨ、−ＣＨ３、−ＣＨ２ＣＨ３及び−ＣＨ２Ｃ６Ｈ５又は置換ベンジルから選択される）から選択される）
］
から成る群から選択される、請求項１〜２のいずれか１つに記載の接着剤。
【請求項４】
各Ｂ、Ｎ及びＹが、独立して、
式
【化４】
2019523813.tif 000007
から成る群から選択される、請求項１〜３のいずれか１つに記載の接着剤。
【請求項５】
Ａ、Ｍ及びＸのうちの少なくとも１つが、独立して、
式
【化５】
2019523813.tif 000008
から成る群から選択される、請求項１〜４のいずれか１つに記載の接着剤。
【請求項６】
Ｂ、Ｎ及びＹが、各々独立して、置換アリール基である、請求項１〜５のいずれか１つに記載の接着剤。
【請求項７】
各Ｒ、Ｒ１、Ｒ２及びＲ３が、独立して、置換アリール基である、請求項１〜６のいずれか１つに記載の接着剤。
【請求項８】
置換アリール基が、
式
【化６】
2019523813.tif 000009
から成る群から選択され、ｂ、ｎ及びｙが１又は２である、請求項１〜７のいずれか１つに記載の接着剤。
【請求項９】
式
【化７】
2019523813.tif 000010
［式中、
各ｍ及びｎは、独立して、１００〜１，０００，０００であり、
各Ｌ１及びＬ３は、独立して、結合、−ＣＨ２−、−Ｏ−、−Ｓ−、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５又は置換ベンジルから選択される）から選択され、
各Ｒ及びＲ１は、独立して、Ｈ又はＦ、Ｃｌ、Ｂｒ、Ｉ、−ＯＨ、−ＳｉＨ２ＯＨ、−ＮＯ２、−ＣＨ３、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ２Ｃ６Ｈ５、−３，４−ジヒドロキシフェニル、−ＣＨ２−３，４−ジヒドロキシフェニル、−ＮＲ’Ｒ’’（Ｒ’及びＲ’は、各々独立して、Ｈ、−ＣＨ３、−ＣＨ２ＣＨ３、−ＣＨ２Ｃ６Ｈ５又は置換ベンジル、及び硬化性の基から選択される）から成る群から選択され、
各Ｒ３は、独立して、Ｈ又は−ＣＨ３、−ＣＨ２ＣＨ３、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ２Ｃ６Ｈ５又は置換ベンジル及び硬化性の基から成る群から選択され、
各Ｘ−は、独立して、Ｃｌ−、Ｂｒ−、Ｉ−、−ＳＯ４−２、−ＰＯ４−３及びＣＨ３ＣＯ２−から成る群から選択される対アニオンである。
］
Ｂ１、Ｂ２、Ｂ３、Ｂ４及びＢ５を含む、請求項１〜８のいずれか１つに記載の接着剤。
【請求項１０】
式
【化８】
2019523813.tif 000011
2019523813.tif 000012
［式中、
各ｍ、ｎ及びｙは、独立して、１００〜１，０００，０００であり、
各Ｌ１、Ｌ３及びＬ５は、独立して、−ＣＨ２−、−Ｏ−、−Ｓ−、−（ＣＨ２）１−２−、−ＣＨ（ＣＨ２−）２、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５又は置換ベンジル、又は結合から選択される）から選択され、
各Ｒ及びＲ１は、独立して、Ｈ又はＦ、Ｃｌ、Ｂｒ、Ｉ、−ＯＨ、−ＳｉＨ２ＯＨ、−ＮＯ２、−ＣＨ３、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ２Ｃ６Ｈ５又は置換ベンジル、−３，４−ジヒドロキシフェニル、−ＣＨ２−３，４−ジヒドロキシフェニル及び−ＮＲ’Ｒ’’（Ｒ’及びＲ’’は、各々独立して、Ｈ、−ＣＨ３、−ＣＨ２ＣＨ３及び−ＣＨ２Ｃ６Ｈ５又は置換ベンジルから選択される）から成る群から選択され、
各Ｒ３は、独立して、Ｈ又は−ＣＨ３、−ＣＨ２ＣＨ３、−ＣＯ２Ｈ、−ＳＯ４Ｈ、−ＳＯ３Ｈ、−ＰＯ４Ｈ２、−ＰＯ３Ｈ２、−ＮＨ３＋及び−ＣＨ２Ｃ６Ｈ５から成る群から選択され、
各Ｘ−は、独立して、Ｃｌ−、Ｂｒ−、Ｉ−、−ＳＯ４−２及び−ＰＯ４−３から成る群から選択される対アニオンである。
］
Ｃ１、Ｃ２、Ｃ３、Ｃ４、Ｃ５及びＣ６を含む、請求項１〜８のいずれか１つに記載の接着剤。
【請求項１１】
Ｂ、Ｎ及びＹが、各々独立して、置換アリール基である、請求項１〜８のいずれか１つに記載の接着剤。
【請求項１２】
置換アリール基が、
式
【化９】
2019523813.tif 000013
2019523813.tif 000014
から成る群から選択され、ｂ、ｎ及びｙが１又は２である、請求項１〜１１のいずれか１つに記載の接着剤。
【請求項１３】
硬化性の基が、光硬化性の基、光重合性の基、熱硬化性の基、及び溶媒硬化性の基である、請求項１〜１２のいずれか１つに記載の接着剤。
【請求項１４】
表面を有する第１の対象物を、表面を有する第２の対象物にシールする方法であって、該方法が、
１）接着剤を第１の対象物の表面に適用する工程、
２）該接着剤を含む第１の対象物の表面を、第１及び第２の対象物がシールを形成するまでの十分な期間、第２の対象物の表面へ接触させる工程、
を含み、該接着剤が、
式
【化１０】
2019523813.tif 000015
［式中、
各ｍ、ｎ及びｏは、独立して、１００〜１，０００，０００であり、
各ａ、ｂ、ｓ、ｔ、ｘ及びｙは、独立して、０、１又は２であり、
各Ｌ１、Ｌ２、Ｌ３、Ｌ４、Ｌ５及びＬ６は、独立して、存在しない又は、独立して、−ＣＨ２−、−Ｏ−、−Ｓ−、−（ＣＨ２）１−２−、−ＣＨ（ＣＨ２−）２、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５又は置換ベンジル、又は結合から選択される）から選択され、
各Ａ、Ｂ、Ｍ、Ｎ、Ｘ及びＹは、独立して、存在しない又は、独立して、アリール、置換アリール、ヘテロアリール、置換ヘテロアリール、ヘテロアリールアンモニウムＸ−及び置換ヘテロアリールアンモニウムＸ−（各Ｘ−は、独立して、Ｃｌ−、Ｂｒ−、Ｉ−、−ＳＯ４−２及び−ＰＯ４−３から成る群から選択される対アニオン）から成る群から選択され、
各Ａは、独立して、
式
【化１１】
2019523813.tif 000016
［式中、
各ｎは、独立して、１００〜１，０００，０００であり、
各Ｌ１及びＬ３は、独立して、結合、−ＣＨ２−、−Ｏ−、−Ｓ−、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’は、Ｈ、−ＣＨ３、−ＣＨ２ＣＨ３及び−ＣＨ２Ｃ６Ｈ５又は置換ベンジルから選択される）から選択され、
各Ｒ及びＲ１は、独立して、Ｈ又はＦ、Ｃｌ、Ｂｒ、Ｉ、−ＯＨ、−ＳｉＨ２ＯＨ、−ＮＯ２、−ＣＨ３、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ２Ｃ６Ｈ５、−３，４−ジヒドロキシフェニル、硬化性の基、−ＣＨ２−３，４−ジヒドロキシフェニル、−ＮＲ’Ｒ’’（Ｒ’及びＲ’’は、各々独立して、Ｈ、−ＣＨ３、−ＣＨ２ＣＨ３及び−ＣＨ２Ｃ６Ｈ５又は置換ベンジルから選択される）から成る群から選択され、
各Ｒ３は、独立して、Ｈ又は−ＣＨ３、−ＣＨ２ＣＨ３、硬化性の基及び−ＣＨ２Ｃ６Ｈ５（Ｃ６Ｈ５基は、要すれば、ハロゲン（−Ｆ、−Ｃｌ、−Ｂｒ−又は−Ｉ）、−ＯＨ、−ＳＨ、−ＳｉＨ２ＯＨ、−ＮＨ２、−ＮＯ２、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ３、−ＣＦ３、−ＯＣＨ３及び−ＯＣＦ３から成る群から選択される１つの置換基で置換される）から成る群から選択され、
各Ｘ−は、独立して、Ｃｌ−、Ｂｒ−、Ｉ−、−ＳＯ４−２、−ＰＯ４−３及びＣＨ３ＣＯ２−から選択される対アニオンであり、
各Ｘ−は、独立して、Ｃｌ−、Ｂｒ−、Ｉ−、−ＳＯ４−２及び−ＰＯ４−３から成る群から選択される対アニオンである。
ただし、Ｌ１、Ｌ２、Ｌ３、Ｌ４、Ｌ５及びＬ６、及びＡ、Ｂ、Ｍ、Ｎ、Ｘ及びＹのすべてが存在しないというわけではない。
］
Ａ１、Ａ２、Ａ３、Ａ４、Ａ５、Ａ６、Ａ７、Ａ８、Ａ９、Ａ１０、Ａ１１、Ａ１２、Ａ１３及びＡ１４から選択される。
］
Ａ、Ｂ又はＣのポリマーを含む、接着剤組成物である、方法。
【請求項１５】
前記接着剤が、
式
【化１２】
2019523813.tif 000017
［式中、
各ｍ及びｎは、独立して、１００〜１，０００，０００であり、
各Ｌ１及びＬ３は、独立して、結合、−ＣＨ２−、−Ｏ−、−Ｓ−、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５又は置換ベンジルから選択される）から選択され、
各Ｒ及びＲ１は、独立して、Ｈ又はＦ、Ｃｌ、Ｂｒ、Ｉ、−ＣＦ３、−ＯＨ、−ＳｉＨ２ＯＨ、−ＮＯ２、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ３、−ＣＨ２Ｃ６Ｈ５、−３，４−ジヒドロキシフェニル、−ＣＨ２−３，４−ジヒドロキシフェニル、硬化性の基、−ＮＲ’Ｒ’’（Ｒ’及びＲ’’は、各々独立して、Ｈ、−ＣＨ３、−ＣＨ２ＣＨ３及び−ＣＨ２Ｃ６Ｈ５又は置換ベンジルから選択される）から成る群から選択され、
各Ｒ３は、独立して、Ｈ又は−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ３、−ＣＨ２ＣＨ３、−ＣＨ２Ｃ６Ｈ５又は置換ベンジル、及び硬化性の基から成る群から選択され、
各Ｘ−は、独立して、Ｃｌ−、Ｂｒ−、Ｉ−、−ＳＯ４−２及び−ＰＯ４−３から成る群から選択される対アニオンである。
］
Ｂ１、Ｂ２、Ｂ３、Ｂ４、Ｂ５及びＢ６から成る、請求項１４に記載の方法。
【請求項１６】
前記接着剤が、
式
【化１３】
2019523813.tif 000018
［式中、
各ｍ、ｎ及びｙは、独立して、１００〜１，０００，０００であり、
各Ｌ１、Ｌ３及びＬ５は、独立して、結合、−ＣＨ２−、−Ｏ−、−Ｓ−、−Ｃ（Ｏ）Ｏ−、−Ｃ（Ｏ）ＯＣＨ２−、−ＣＨ２Ｃ（Ｏ）Ｏ−、−ＣＨ２Ｃ（Ｏ）ＮＨ−、−Ｃ（Ｏ）ＮＨＣＨ２−、−Ｃ（Ｏ）ＮＨ−及び−ＮＲ’−（Ｒ’はＨ、−ＣＨ３、−ＣＨ２ＣＨ３及び−ＣＨ２Ｃ６Ｈ５又は置換ベンジルから選択される）から選択され、
各Ｒ及びＲ１は、独立して、Ｈ又はＦ、Ｃｌ、Ｂｒ、Ｉ、−ＯＨ、−ＳｉＨ２ＯＨ、−ＮＯ２、−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ３、−ＣＦ３、−ＣＨ２Ｃ６Ｈ５、−３，４−ジヒドロキシフェニル、硬化性の基、−ＣＨ２−３，４−ジヒドロキシフェニル、−ＮＲ’Ｒ’’（Ｒ’及びＲ’’は、各々独立して、Ｈ、−ＣＨ３、−ＣＨ２ＣＨ３及び−ＣＨ２Ｃ６Ｈ５又は置換ベンジルから選択される）から成る群から選択され、
各Ｒ３は、独立して、Ｈ又は−ＣＯ２Ｈ、−ＳＯ４Ｈ、−ＳＯ３Ｈ、−ＰＯ４Ｈ２、−ＰＯ３Ｈ２、−ＮＨ３＋、−ＣＨ３、−ＣＨ２ＣＨ３、−ＣＨ２Ｃ６Ｈ５及び硬化性の基から成る群から選択され、
各Ｘ−は、独立して、Ｃｌ−、Ｂｒ−、Ｉ−、−ＳＯ４−２及び−ＰＯ４−３から成る群から選択される対アニオンである。
］
Ｃ１、Ｃ２、Ｃ３、Ｃ４、Ｃ５及びＣ６を含む、請求項１４に記載の方法。
【請求項１７】
Ｂ、Ｎ及びＹが、各々独立して、アリール又は置換アリール基である、請求項１４に記載の方法。
【請求項１８】
各Ｒ、Ｒ１、Ｒ２及びＲ３が、独立して、水素又は置換アリール基である、請求項１４〜１７のいずれかに１つに記載の方法。
【請求項１９】
Ａ、Ｂ、Ｍ、Ｎ、Ｘ及びＹのうちの少なくとも１つが、独立して、
式
−Ｌ１−ＣＯＯＨ、−Ｌ１−ＳＯ４Ｈ、−Ｌ１−ＳＯ３Ｈ、−Ｌ１−ＰＯ４Ｈ２、−Ｌ１−ＰＯ３Ｈ２及びＬ１−ＮＨ３＋、
−Ｌ３−ＣＯＯＨ、−Ｌ３−ＳＯ４Ｈ、−Ｌ３−ＳＯ３Ｈ、−Ｌ３−ＰＯ４Ｈ２、−Ｌ３−ＰＯ３Ｈ２及びＬ３−ＮＨ３＋、及び
−Ｌ５−ＣＯＯＨ、−Ｌ５−ＳＯ４Ｈ、−Ｌ５−ＳＯ３Ｈ、−Ｌ５−ＰＯ４Ｈ２、−Ｌ５−ＰＯ３Ｈ２及びＬ５−ＮＨ３＋、
［式中、
各Ｌ１、Ｌ３及びＬ５は、独立して、結合、−ＣＨ２−、−Ｏ−、−Ｓ−及び−ＮＲ’−（Ｒ’はＨ、−ＣＨ３、−ＣＨ２ＣＨ３及び−ＣＨ２Ｃ６Ｈ５から選択される）から選択される
］
から成る群から選択される、請求項１４〜１８のいずれか１つに記載の方法。
【請求項２０】
各Ｂ、Ｎ及びＹが、独立して、
式
【化１４】
2019523813.tif 000019
2019523813.tif 000020
の誘導体を含む、請求項１４〜１９のいずれか１つに記載の方法。
【請求項２１】
各Ｂ、Ｎ及びＹが、独立して、
式
【化１５】
2019523813.tif 000021
から成る群から選択される、請求項１４〜１９のいずれか１つに記載の方法。
【請求項２２】
Ａ、Ｍ及びＸのうちの少なくとも１つが、独立して、
式
【化１６】
2019523813.tif 000022
から成る群から選択される、請求項１４〜２１のいずれか１つに記載の方法。
【請求項２３】
前記接着剤が、さらに硬化される、請求項１４〜２２のいずれか１つに記載の方法。
【請求項２４】
前記第１の対象物が、独立して、表皮、金属、金属酸化物、鉱物、雲母、シリコン、ガラス、カルシウム、エナメル、骨、鋼鉄、歯エナメル、歯象牙質、ヒドロキシアパタイト、カオリン及びジルコニアから成る群から選択され、前記第２の対象物が、組織、表皮、金属、金属酸化物、鉱物、雲母、シリコン、ガラス、カルシウム、エナメル、骨、鋼鉄、歯エナメル、歯象牙質、ヒドロキシアパタイト、カオリン及びジルコニアから成る群から選択される、請求項１４〜２３のいずれか１つに記載の方法。
【請求項２５】
前記第１の対象物及び第２の対象物が、どちらとも組織又は表皮である、請求項１４〜２４のいずれか１つに記載の方法。
【請求項２６】
前記第１の対象物が表皮であり、前記第２の対象物が、金属、金属酸化物、鉱物、雲母、シリコン、ガラス、カルシウム、エナメル、骨、鋼鉄、歯エナメル、歯象牙質、ヒドロキシアパタイト、カオリン及びジルコニアから成る群から選択される、請求項１４〜２４のいずれか１つに記載の方法。
【請求項２７】
前記接着工程が、水中で行われる、請求項１４〜２６のいずれか１つに記載の方法。
【請求項２８】
前記方法が、塩水溶液又は塩を添加して、塩分濃度を上昇させることをさらに含む、請求項２７に記載の方法。
【請求項２９】
前記方法が、再利用可能な又は元へ戻すことが可能な、低粘着性感圧性接着剤又は低粘着性接着剤又は滑りにくい塗料を与えるものであって、該方法が、
（１）請求項１〜１４のいずれか１つに記載の接着剤を水に溶解させ、前記接着剤の水溶液を形成する工程、
（２）該接着剤の水溶液をエタノールで希釈する工程、
（３）飽和ＮａＣｌ水溶液を該エタノール水溶液に加える工程、
（４）該エタノール水溶液を基材上に噴霧又は塗布し、該溶液を風乾する工程
を含む、請求項１４〜２８のいずれか１つに記載の方法。